(57)【要約】      （修正有）【課題】意匠性の低下を招くことなく、装着者が簡易かつ安定的に装着することができるヘアエクステンションを提供する。【解決手段】毛状体２１が束ねられて形成された毛状束２０の基端部に毛状束を装着者の頭髪に装着する装着部３０が形成されたヘアエクステンションにおいて、装着部は、可撓性を有する金属製であって基端部に沿って伸長するワイヤ３２を備え、ワイヤが装着者の頭髪に周回されることによって装着者の頭髪に毛状束が装着される。【選択図】図３
0003215867.tif 000002
【実用新案登録請求の範囲】
【請求項１】
毛状体が束ねられて形成された毛状束の基端部に該毛状束を装着者の頭髪に装着する装着部が形成されたヘアエクステンションにおいて、
前記装着部は、
可撓性を有する金属製であって前記基端部に沿って伸長するワイヤを備え、
前記装着部の前記ワイヤが前記装着者の前記頭髪に周回されることによって前記装着者の前記頭髪に前記毛状束が装着されることを特徴とするヘアエクステンション。
【請求項２】
前記装着部は、
前記装着者の前記頭髪に差し込まれる差込部材が設けられていることを特徴とする請求項１に記載のヘアエクステンション。
【請求項３】
前記装着部は、
前記ワイヤの伸長する方向に沿って該ワイヤを被覆して前記毛状束の前記基端部側に結合されるベース部材を備えることを特徴とする請求項１または２に記載のヘアエクステンション。
【考案の詳細な説明】
【技術分野】
【０００１】
本考案は、ヘアエクステンション、特に、毛状体が束ねられて形成された毛状束の基端部に、毛状束を装着者の頭髪に装着する装着部が形成されたヘアエクステンションに関する。
【背景技術】
【０００２】
ヘアエクステンションは、一般的に、人工毛髪や人毛といった毛状体が束ねられて形成された毛状束を有するものであって、頭髪に装着されて装飾的に使用されたり、頭髪のボリュームを増大させるために使用されたり等、多目的で使用されている。
【０００３】
このようなヘアエクステンションを頭髪に装着する場合は、ヘアエクステンションとヘアエクステンションを装着する部分の頭髪とをピンで結束したり、ヘアエクステンションに設けられた結束紐でヘアエクステンションを頭髪に結束したりすることが行われている。
【０００４】
例えば、特許文献１には、毛状体が束ねられた毛状束の基端部に、頭髪に結びつけられる結束紐が設けられたヘアエクステンションが提案されている。この特許文献１のヘアエクステンションを頭髪に装着する場合は、複数回に亘って結束紐を頭髪に周回させた状態で、結束紐の先端側に輪を作ってこの輪に頭髪を更に周回させて、結束紐と頭髪とを結び合わせることによって、ヘアエクステンションを頭髪に装着する。
【先行技術文献】
【特許文献】
【０００５】
【特許文献１】特開２０１１−４２９０６
【考案の概要】
【考案が解決しようとする課題】
【０００６】
しかし、特許文献１のヘアエクステンションによれば、複数回に亘って結束紐を頭髪に周回させたり、結束紐の先端側に輪を作ってこの輪に頭髪を周回させたりといった複雑な作業を行う必要があることから、簡易に装着することができないことが懸念される。
【０００７】
さらに、特許文献１のヘアエクステンションによれば、複数回に亘って結束紐を頭髪に周回させること等によって、ヘアエクステンションと頭髪との装着部分に厚みや重みが生じることとなり、その結果、意匠性が低下したりヘアエクステンションが取れやすくなったりすることも懸念される。
【０００８】
本考案は上記事情に鑑みてなされたものであり、装着者が簡易かつ安定的に装着することができるヘアエクステンションを提供することを課題とするものである。
【課題を解決するための手段】
【０００９】
上記課題を解決するための本考案に係るヘアエクステンションは、毛状体が束ねられて形成された毛状束の基端部に毛状束を装着者の頭髪に装着する装着部が形成されたヘアエクステンションにおいて、装着部は、可撓性を有する金属製であって基端部に沿って伸長するワイヤを備え、装着部のワイヤが装着者の頭髪に周回されることによって装着者の頭髪に毛状束が装着されることを特徴としている。
【００１０】
このヘアエクステンションによれば、可撓性を有する金属製のワイヤが装着者の頭髪に周回されることによって、毛状束が頭髪に装着される。すなわち、ワイヤを頭髪に周回させるという極めて簡易な作業によって、ヘアエクステンションの毛状束を頭髪に装着することができる。したがって、例えば、装着者が見えにくい装着者の後頭部であっても、容易にヘアエクステンションの毛状束を装着することができる。
【００１１】
しかも、可撓性を有する金属製のワイヤは、外力が付与されない状態では変形した状態が維持されて復元しにくいという特性を有することから、ワイヤが頭髪に周回されると、その際のワイヤの形状が維持される。したがって、ヘアエクステンションの毛状束が安定的に頭髪に装着される。
【００１２】
さらに、このヘアエクステンションの装着部は、装着者の頭髪に差し込まれる差込部材が設けられていることを特徴としている。これにより、ヘアエクステンションの毛状束の装着位置が位置決めされるとともに、差込部材が頭髪に差し込まれることによって、ヘアエクステンションの毛状束が安定的に装着される。
【００１３】
しかも、このヘアエクステンションの装着部は、ワイヤの伸長する方向に沿ってワイヤを被覆して毛状束の基端部側に結合されるベース部材を備えることを特徴としている。
【００１４】
このように、ワイヤがベース部材によって被覆されてワイヤが外部に露出することがないことから、ヘアエクステンションの毛状束の装着の際の安全性が向上するとともに、ヘアエクステンションの耐久性が向上し、かつ意匠性も向上する。
【考案の効果】
【００１５】
この考案によれば、ワイヤを頭髪に周回させるという極めて簡易な作業によって、ヘアエクステンションの毛状束を安定的に頭髪に装着することができる。
【図面の簡単な説明】
【００１６】
【図１】本考案の実施の形態に係るヘアエクステンションの概略を説明する図である。
【図２】同じく、本実施の形態に係るヘアエクステンションの装着部の使用方法の概略を説明する図である。
【図３】同じく、本実施の形態のヘアエクステンションを装着する場合の概略を説明する図である。
【図４】同じく、本実施の形態のヘアエクステンションが取り付けられた状態の概略を説明する図である。
【考案を実施するための形態】
【００１７】
次に、図１〜図４に基づいて、本考案の実施の形態について説明する。
【００１８】
図１は、本実施の形態に係るヘアエクステンション１０の概略を説明する図である。図示のように、ヘアエクステンション１０は、毛状束２０、及び毛状束２０に形成された装着部３０を備える。
【００１９】
このヘアエクステンション１０は、本実施の形態では、装着者が、装着者の後頭部で頭髪を一つに束ねて垂らす「総髪」とも称されるいわゆるポニーテールとする場合に装着されるものである。
【００２０】
毛状束２０は、本実施の形態では、ポリエステル系の繊維で形成された人工毛髪によって構成される多数の毛状体２１が束ねられることによって形成される。毛状体２１は、基端２１ａ及び先端２１ｂを有する直毛状あるいはウェーブ状に形成される。
【００２１】
この毛状体２１が基端２１ａ側において束ねられて、基端２１ａ側において多数の毛状体２１が互いに接着されることによって毛状束２０が形成され、束ねられた毛状体２１の基端２１ａによって、毛状束２０の基端部２０Ａが構成される。
【００２２】
一方、多数の毛状体２１の先端２１ｂによって、毛状束２０の毛先２０Ｂが構成される。
【００２３】
装着部３０は、本実施の形態では、基端部２０Ａ側において毛状束２０に結合される布製のベース部材３１、ベース部材３１を介して毛状束２０の基端部２０Ａに沿って伸長するワイヤ３２、及びベース部材３１に設けられた差込部材３３を備える。
【００２４】
ベース部材３１は、本実施の形態では、矢線Ｗで示す毛状束２０の基端部２０Ａの幅方向に伸長するカバー部３１ａを備え、平面視で略台形ないし半円形に形成される。
【００２５】
ワイヤ３２は、可撓性を有する金属製であって、本実施の形態では、ベース部材３１を介して毛状束２０の基端部２０Ａの幅方向Ｗに沿って伸長する。このワイヤ３２は、ベース部材３１のカバー部３１ａに被覆される。
【００２６】
このワイヤ３２は、本実施の形態では、可撓性に優れて変形しやすい一方で、外力が付与されない状態では変形した状態が維持されて復元しにくいという特性を有する。
【００２７】
差込部材３３は、本実施の形態では、装着者の頭髪に差し込まれる３本の差込部３３ａ、及びこれら差込部３３ａをカバー部３１ａの直下であって幅方向Ｗの略中央部分に取り付ける取付部３３ｂを備える。
【００２８】
図２は、本実施の形態に係るヘアエクステンション１０の装着部３０の使用方法の概略を説明する図である。図示のように、装着部３０の両端側を矢線Ｒで示す周回方向に折り曲げると、可撓性のあるワイヤ３２が容易に撓んで毛状束２０の基端部２０Ａが筒状に変形される。
【００２９】
このとき、本実施の形態のワイヤ３２は、上記のように、可撓性に優れて変形しやすい一方で、外力が付与されない状態では変形した状態が維持されて復元しにくいという特性を有することから、筒状に変形された基端部２０Ａの形状が維持される。
【００３０】
次に、本実施の形態のヘアエクステンション１０を装着する場合の概略について、図３に基づいて説明する。
【００３１】
図示のように、装着者１が後頭部１ａで頭髪２をゴム３で一つに束ねてポニーテールにする際に、ヘアエクステンション１０を頭髪２に装着して頭髪２のボリュームを増大させる場合において、まず、差込部材３３の差込部３３ａを、矢線Ｆで示す差込方向に沿って頭髪２に差し込む。
【００３２】
これにより、ヘアエクステンション１０の装着位置が位置決めされるとともに、差込部３３ａが頭髪２に差し込まれることによって、ヘアエクステンション１０が安定的に装着される。
【００３３】
この状態において、装着部３０をその両端側において周回方向Ｒに折り曲げて、装着部３０のカバー部３１ａを介してワイヤ３２を装着者１の頭髪２に周回させる。このとき、本実施の形態のワイヤ３２は可撓性に優れて変形しやすいことから、ワイヤ３２が容易に撓んで毛状束２０の基端部２０Ａが筒状に変形する。
【００３４】
これにより、ヘアエクステンション１０が取り付けられた状態の概略を説明する図４で示すように、装着部３０のワイヤ３２がカバー部３１ａを介して装着者１の頭髪２に周回されて、ヘアエクステンション１０が頭髪２に装着される。
【００３５】
このように、装着部３０のワイヤ３２を周回方向Ｒに折り曲げて、カバー部３１ａを介してワイヤ３２を頭髪２に周回させるという極めて簡易な作業によって、ヘアエクステンション１０を頭髪２に装着することができる。
【００３６】
したがって、装着者１が見えにくい後頭部１ａであっても、容易にヘアエクステンション１０を装着することができる。
【００３７】
本実施の形態のワイヤ３２は、外力が付与されない状態では変形した状態が維持されて復元しにくいという特性を有し、筒状に変形された基端部２０Ａの形状が維持される。したがって、ヘアエクステンション１０が安定的に頭髪２に装着される。
【００３８】
しかも、このとき、差込部材３３の差込部３３ａが頭髪２に差し込まれていることから、ヘアエクステンション１０の頭髪２への装着の安定性が更に向上する。
【００３９】
さらに、本実施の形態では、金属製のワイヤ３２が外部に露出することなく、ベース部材３１のカバー部３１ａによって被覆されることから、装着の際の安全性が向上するとともにヘアエクステンション１０の耐久性が向上し、かつ意匠性も向上する。
【００４０】
なお、本考案は上記実施の形態に限定されることはなく、考案の趣旨を逸脱しない範囲で種々変更可能である。上記実施の形態では、毛状体２１が人工毛髪で構成された場合を説明したが、例えば、人毛であってもよい。
【符号の説明】
【００４１】
１    装着者
１ａ    後頭部
２    頭髪
１０    ヘアエクステンション
２０    毛状束
２０Ａ    基端部
２０Ｂ    毛先
２１    毛状体
２１ａ    基端
２１ｂ    先端
３０    装着部
３１    ベース部材
３１ａ    カバー部
３２    ワイヤ
３３    差込部材
３３ａ    差込部
【図１】
0003215867.tif 000003
【図２】
0003215867.tif 000004
【図３】
0003215867.tif 000005
【図４】
0003215867.tif 000006